(57)【要約】【課題】従来の複数のシートを連結することだけを目的とするものであった。【解決手段】本発明の仮設建築物用のシート取付装置は、縦方向に延びる構造物取付部と、該構造物取付部の上部に固定した、縦方向に延びるシート取付用縦パイプと、該縦パイプの外側に形成された縦方向に延びるスリットと、上記縦パイプの上部に固定した、外面が円弧状の縦方向に延びる湾曲板部と、上記構造物取付部に設けた、縦方向に延びる当接部とよりなり、上記湾曲板部の外面と、上記当接部の外端部とが、一つの仮想円上に位置するように、上記湾曲板部と上記当接部とが形成されていることを特徴とする。【選択図】図１
2017101410.tif 000002
【特許請求の範囲】
【請求項１】
縦方向に延びる構造物取付部と、
該構造物取付部の上部に固定した、縦方向に延びるシート取付用縦パイプと、
該縦パイプの外側に形成された縦方向に延びるスリットと、
上記縦パイプの上部に固定した、外面が円弧状の縦方向に延びる湾曲板部と、
上記構造物取付部に設けた、縦方向に延びる当接部とよりなり、
上記湾曲板部の外面と、上記当接部の外端部とが、一つの仮想円上に位置するように、上記湾曲板部と上記当接部とが形成されていることを特徴とする仮設建築物用のシート取付装置。
【請求項２】
上記当接部は、少なくとも左右２つ形成されていることを特徴とする請求項１記載の仮設建築物用のシート取付装置。
【請求項３】
上記縦パイプは、少なくとも２つからなることを特徴とする請求項１または２記載の仮設建築物用のシート取付装置。
【請求項４】
上記構造物取付部は、ボルトの頭部が挿入自在な筒状に形成され、
上記筒状の構造物取付部の底板は、縦方向に延びる、ボルトの首部が貫通可能な、スリットが設けられることを特徴とする請求項１、２または３記載の仮設建築物用のシート取付装置。
【請求項５】
上記当接部は、上記底板の側面から斜め上方に突出して設けた板体であることを特徴とする請求項１、２、３または４記載の仮設建築物用のシート取付装置。
【発明の詳細な説明】
【技術分野】
【０００１】
本発明は仮設建築物用のシート取付装置、特に、土木、建築の作業現場の仮設建築物等の周囲や屋根等に取り付けるシートの取付装置に関するものである。
【背景技術】
【０００２】
図８は、従来の仮設建築物用のシート取付装置を示し、１は円弧状に湾曲した台板、２は左右２個のシート取付用縦パイプ、３はこのパイプ２を互いに連結して上記台板１に固定する固定具、４は上記各パイプ２の外側に形成された縦方向に延びるスリット、５はシート、６はこのシート５の両端を夫々巻きつけた芯、７は足場や構造物を構成する丸パイプ、８は上記台板１を上記丸パイプ７に固定するためのジョイントである（特許文献１）。
【０００３】
上記従来のシート取付装置においては、上記足場等を構成する丸パイプ７に、上記台座１の湾曲した裏面を当接して、該台座１を上記ジョイント８により固定する。そして、上記縦パイプ２の端部から上記シート５の芯６を挿入して、上記シート５を上記縦パイプ２に固定し、上記シート５を張設するようにする。
【先行技術文献】
【特許文献】
【０００４】
【特許文献１】特開平９−３２８９３３号公報（図４）
【発明の概要】
【発明が解決しようとする課題】
【０００５】
上記従来の仮設建築物用のシート取付装置は、複数のシートを連結することだけを目的とするものである。本発明においては、シート取付装置として使用できるのみならず、クランプを固定できる支柱（ポール）としても使用できる仮設建築物用のシート取付装置を提供するようにしたものである。
【課題を解決するための手段】
【０００６】
本発明の仮設建築物用のシート取付装置は、縦方向に延びる構造物取付部と、該構造物取付部の上部に固定した、縦方向に延びるシート取付用縦パイプと、該縦パイプの外側に形成された縦方向に延びるスリットと、上記縦パイプの上部に固定した、外面が円弧状の縦方向に延びる湾曲板部と、上記構造物取付部に設けた、縦方向に延びる当接部とよりなり、上記湾曲板部の外面と、上記当接部の外端部とが、一つの仮想円上に位置するように、上記湾曲板部と上記当接部とが形成されていることを特徴とする。
【０００７】
また、上記当接部は、少なくとも左右２つ形成されていることを特徴とする。
【０００８】
また、上記縦パイプは、少なくとも２つからなることを特徴とする。
【０００９】
また、上記構造物取付部は、ボルトの頭部が挿入自在な筒状に形成され、上記筒状の構造物取付部の底板は、縦方向に延びる、ボルトの首部が貫通可能な、スリットが設けられることを特徴とする。
【００１０】
また、上記当接部は、上記底板の側面から斜め上方に突出して設けた板体であることを特徴とする。
【発明の効果】
【００１１】
本発明の仮設建築物用のシート取付装置によれば、シート取付装置のみならず、足場や構造物等の支柱としても使用できるので、該支柱を利用して他のシート取付装置を固定できるなど、足場や構造物において、少ない部品でシートの覆いができるようになる。
【図面の簡単な説明】
【００１２】
【図１】本発明の仮設建築物用のシート取付装置の斜視図である。
【図２】本発明の仮設建築物用のシート取付装置の正面図である。
【図３】本発明の仮設建築物用のシート取付装置の使用例を示す縦断正面図である。
【図４】本発明の仮設建築物用のシート取付装置の継金具の側面図である。
【図５】本発明の仮設建築物用のシート取付装置の継金具の正面図である。
【図６】本発明の仮設建築物用のシート取付装置の２つを継金具（ナット省略）により連結させた平面図である。
【図７】本発明の仮設建築物用のシート取付装置の他の使用例を示す縦断正面図である。
【図８】従来の仮設建築物用のシート取付装置の使用例を示す縦断正面図である。
【発明を実施するための形態】
【００１３】
以下図面によって本発明の実施例を説明する。
【実施例１】
【００１４】
図１及び図２は、本発明の仮設建築物用のシート取付装置９を示し、該シート取付装置９は、足場や構造物等に固定される、縦方向に延びる筒状の構造物取付部１０と、この構造物取付部１０の上部に固定した、縦方向に並列した左右２個のシート取付用縦パイプ１１、１１と、この各縦パイプ１１の外側に形成された縦方向に延びるスリット１２と、上記２個のパイプ１１、１１の上部に固定した略半円の円弧状の湾曲板部１３とよりなる。
【００１５】
また、上記筒状の構造物取付部１０は、例えば、断面形状が矩形に形成され、上記構造物取付部１０の底板１０ａは、その底面及び内面がそれぞれ平面である平板よりなると共に、中央に、縦方向に延びるスリット１４が形成されている。そして、図３に示すように、上記筒状の構造物取付部１０は、該構造物取付部１０の筒内１５に角ボルト１６の頭部１６ａが挿入されると共に、上記スリット１４に該角ボルト１６の首部１６ｂが貫通できるように形成されている。
【００１６】
また、上記構造物取付部１０の左右の側板１０ｂ、１０ｃの内側面の少なくとも一つは、上記スリット１４に接近して設けられ、上記筒内１５内に挿入された角ボルト１６が回動しようしても、該角ボルト１６の頭部１６ａの側面が上記側板１０ｂ、１０ｃの内側面に当接して、その回動を阻止できる位置に形成されている。
【００１７】
また、上記構造物取付部１０の外周部には、縦方向に延びる左右２つの当接部１７が形成され、該左右の当接部１７の外端部１７ａと、上記湾曲板部１３の円弧状の外面１３ａとが、一つの仮想円１８上に略位置するように形成されている。
【００１８】
なお、上記左右２つの当接部１７は、縦方向に延びる左右２つの凸部の他、例えば、図１に示すように、上記構造物取付部１０の底板１０ａの両側部にそれぞれ固定して設けた、それぞれ斜め上方に傾斜した、縦方向に延びる板状の凸片であってもよく、上記突片の外端部１７ａ（外面）は、上記仮想円１８の円弧を近似した直線であってもよい。
【００１９】
本発明の仮設建築物用のシート取付装置は上記のような構成であるから、例えば、シート取付装置９を構造物の丸パイプ１９に固定する場合には、図３に示すように、該丸パイプ１９にクランプ２０を固定する。そして、該クランブ２０に設けられたボルト１６の頭部１６ａを、上記シート取付装置９の構造物取付部１０の端部から上記筒内１５に挿入し、ナット２１を締め付けて、上記構造物取付部１０を上記ボルト１６に固定して、これにより、上記シート取付装置９が上記丸パイプ１９に固定されるようになる。
【００２０】
なお、１６ｃは、上記構造物取付部１０とナット２１間に介在されるワッシャーである。
【００２１】
そして、上記各縦パイプ１１の端部から上記シート５の芯６を挿入して、上記シート５を上記縦パイプ１１に固定し、上記シート５を張設するようにする。
【００２２】
また、２つのシート取付装置９、９を縦方向に連結する場合には、例えば、図４〜図６に示すように、継部材２５を用いて連結する。
【００２３】
上記継部材２５は、上記構造物取付部１０の筒内１５に、該構造物取付部１０の端部から挿入可能な断面矩形状の長尺の板体２２と、該板体２２から突出する、２本のネジからなるボルト２３、２３と、該各ボルト２３に螺合するナット２４とからなる。
【００２４】
そして、２つのシート取付装置９、９を連結するためには、図６に示すように、上記継部材２５の板体２２の一端を、一方のシート取付装置９の端部から筒内１５に挿入すると共に、上記継部材２５の板体２２の他端を、他方のシート取付部材９の筒内１５に挿入し、上記２つのシート取付装置９、９を所望の距離まで接近させ、或いは、当接させる。
【００２５】
そして、上記継部材２５の各ナット２４をそれぞれ締め付けて、上記継部材２５に一方及び他方のシート取付装置９、９を固定して、これにより、上記一方及び他方のシート取付装置９、９が連結して固定されるようになる。
【００２６】
また、シート取付装置９を、足場や構造物などの支柱として使用する場合には、図７に示すように、丸パイプ用クランブ２６を用いて、上記シート取付装置９を、上記丸パイプ用クランプ２６の本体部２７の円弧状凹部２７ａと、該本体部２６に傾動自在に枢支して設けられたアーム部２８の円弧状凹部２８ａとにより挟持し、固定するようにする。
【００２７】
なお、例えば、上記シート取付装置９の左右の当接部１７、１７の外面１７ａ、１７ａが上記アーム部２８の円弧状凹部２８ａに位置し、上記シート取付装置９の湾曲板部１３の円弧状の外面１３ａが上記本体部２７の円弧状凹部２７ａに位置する。
【００２８】
本発明の仮設建築用シートの取付装置によれば、シート取付装置のみならず、足場や構造物等の支柱としても使用できるので、該支柱を利用して他のシート取付装置を固定できるなど、足場や構造物において、少ない部品でシートの覆いができるようになる。
【符号の説明】
【００２９】
１      台板
２      縦パイプ
３      固定具
４      スリット
５      シート
６      芯
７      丸パイプ
８      ジョイント
９      シート取付装置
１０    構造物取付部
１０ａ  底板
１０ｂ  側壁
１０ｃ  側壁
１１    パイプ
１２    スリット
１３    湾曲板部
１３ａ    外面
１４    スリット
１５    筒内
１６    ボルト
１６ａ  頭部
１６ｂ  首部
１６ｃ  ワッシャー
１７    当接部
１７ａ  外端部
１８    仮想円
１９    丸パイプ
２０    クランプ
２１    ナット
２２    板体
２３    ボルト
２４    ナット
２５    継部材
２６    パイプクランブ
２７    本体部
２７ａ  凹部
２８    アーム部
２８ａ  湾曲状凹部
【図１】
2017101410.tif 000003
【図２】
2017101410.tif 000004
【図３】
2017101410.tif 000005
【図４】
2017101410.tif 000006
【図５】
2017101410.tif 000007
【図６】
2017101410.tif 000008
【図７】
2017101410.tif 000009
【図８】
2017101410.tif 000010
【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
ナットにより締め付けられるボルトの頭部が挿入自在な筒状に形成され、底板が、その底面及び内面がそれぞれ平面である板体よりなると共に、縦方向に延びる、ボルトの首部が貫通可能なスリットが設けられた、縦方向に延びる構造物取付部と、
該構造物取付部の上部に固定した、縦方向に並列して延びる左右２つのシート取付用縦パイプと、
該各縦パイプの外側に形成された縦方向に延びるスリットと、
上記縦パイプの上部に固定した、外面が円弧状の縦方向に延びる湾曲板部と、
上記構造物取付部の底板の両側部にそれぞれ固定して設けた、斜め上方に傾斜した、縦方向に延びる板状の凸片とよりなり、
上記湾曲板部の外面と、上記凸片の外端部とが、一つの仮想円上に位置するように、上記湾曲板部と上記凸片とが形成され、丸パイプ用クランブにより挟持可能であることを特徴とする仮設建築物用のシート取付装置。
【手続補正２】
【補正対象書類名】明細書
【補正対象項目名】０００６
【補正方法】変更
【補正の内容】
【０００６】
本発明の仮設建築物用のシート取付装置は、ナットにより締め付けられるボルトの頭部が挿入自在な筒状に形成され、底板が、その底面及び内面がそれぞれ平面である板体よりなると共に、縦方向に延びる、ボルトの首部が貫通可能なスリットが設けられた、縦方向に延びる構造物取付部と、該構造物取付部の上部に固定した、縦方向に並列して延びる左右２つのシート取付用縦パイプと、該各縦パイプの外側に形成された縦方向に延びるスリットと、上記縦パイプの上部に固定した、外面が円弧状の縦方向に延びる湾曲板部と、上記構造物取付部の底板の両側部にそれぞれ固定して設けた、斜め上方に傾斜した、縦方向に延びる板状の凸片とよりなり、上記湾曲板部の外面と、上記凸片の外端部とが、一つの仮想円上に位置するように、上記湾曲板部と上記凸片とが形成され、丸パイプ用クランブにより挟持可能であることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１８
【補正方法】変更
【補正の内容】
【００１８】
なお、上記左右２つの当接部１７は、縦方向に延びる左右２つの凸部の他、例えば、図１に示すように、上記構造物取付部１０の底板１０ａの両側部にそれぞれ固定して設けた、それぞれ斜め上方に傾斜した、縦方向に延びる板状の凸片であってもよく、上記凸片の外端部１７ａ（外面）は、上記仮想円１８の円弧を近似した直線であってもよい。